(57)【要約】  【課題】  色ずれ制御または濃度制御の一方を行う際に他の制御の対象であるずれ（濃度ずれまたは色ずれ）を検出し、かかる他方の制御を実施するか否かを動的に判断する。  【解決手段】  画像形成装置において、色ずれ制御用パターンを検出するための色ずれセンサ３２と、濃度制御用パターンを検出するための濃度センサ３３と、これらのセンサ３２、３３による検出結果に基づいて色ずれ制御や濃度制御を実施する制御部３１とを備える。そして、この制御部３１は、色ずれセンサ３２による検出結果を用いた色ずれ制御または濃度センサ３３による検出結果を用いた濃度制御の一方を行った場合に、かかる制御において用いられた検出結果に基づいて他方の制御対象であるずれ（濃度ずれまたは色ずれ）の有無を検出し、さらに検出された他方の制御対象であるずれが予め定められた許容ずれ量を超える場合に、このずれを補正する制御（濃度制御または色ずれ制御）を行う。  【選択図】  図２
2006030484.tif 000002
【特許請求の範囲】
【請求項１】
色ごとに形成された複数の画像を重ねて記録媒体に転写する画像形成装置であって、
転写対象に画像を形成する画像形成部と、
前記画像形成部にて前記転写対象に形成される色ずれ制御用パターンを検出するための色ずれセンサと、
前記画像形成部にて前記転写対象に形成される濃度制御用パターンを検出するための濃度センサと、
前記色ずれセンサによる検出結果を用いた色ずれ制御または前記濃度センサによる検出結果を用いた濃度制御の一方を行った場合に、当該制御において用いられた検出結果に基づいて他方の制御対象であるずれ（濃度ずれまたは色ずれ）の有無を検出する制御部と
を備えることを特徴とする画像形成装置。
【請求項２】
前記制御部は、検出された前記他方の制御対象であるずれが予め定められた当該ずれに対する許容ずれ量を超える場合に、当該ずれを補正する制御（濃度制御または色ずれ制御）を行うことを特徴とする請求項１に記載の画像形成装置。
【請求項３】
前記制御部は、濃度制御を実行した際に、前記濃度センサの検出結果である出力波形を、予め設定されたしきい値を基準としてデジタルパルスを生成し、前記濃度制御用パターンを形成する各色のパッチから得られた当該デジタルパルスの立ち上がりまたは立ち下がりのエッジの時間間隔に基づいて色ずれ量を算出することを特徴とする請求項１に記載の画像形成装置。
【請求項４】
前記制御部は、前記濃度制御用パターンを形成するパッチのうち同一濃度の各色のパッチから得られた前記デジタルパルスにおける立ち上がりの時間間隔と立ち下がりのエッジの時間間隔との平均を用いて色ずれ量を算出することを特徴とする請求項３に記載の画像形成装置。
【請求項５】
前記制御部は、前記濃度制御用パターンを形成する各濃度における各色のパッチから得られた前記デジタルパルスのうち、各濃度に関して同一濃度における各色のパッチに関するデジタルパルスの立ち上がりと立ち下がりにおける時間差の平均を求め、得られた各濃度の平均値をさらに平均化して色ずれ量を算出することを特徴とする請求項３に記載の画像形成装置。
【請求項６】
前記画像形成部は、主走査方向の位置に応じて副走査方向の長さが異なる形状のパッチで構成された濃度制御用パターンを前記転写対象に形成し、
前記制御部は、同一濃度における各色のパッチに関するパルスの立ち上がりの時間間隔と同パルスの立ち下がりの時間間隔との差分を用いて主走査方向の色ずれ量を算出することを特徴とする請求項３に記載の画像形成装置。
【請求項７】
前記制御部は、濃度制御を実行した際に、前記濃度センサの検出結果である出力波形のピークタイミングを取得し、前記濃度制御用パターンを形成する各色のパッチから得られた当該出力波形のピークから把握できる時間に基づいて色ずれ量を算出することを特徴とする請求項１に記載の画像形成装置。
【請求項８】
前記制御部は、前記濃度制御用パターンを形成する各濃度における各色のパッチから得られた前記出力波形のうち、各濃度に関して同一濃度における各色のパッチに関する当該出力波形のピークから把握できる時間間隔を求め、得られた各濃度の時間を平均化して色ずれ量を算出することを特徴とする請求項７に記載の画像形成装置。
【請求項９】
色ごとに形成された複数の画像を重ねて記録媒体に転写する画像形成装置の制御方法であって、
各色について多段階の階調のパッチを並べて構成される濃度制御用パターンを転写対象に形成するステップと、
濃度センサにより前記濃度制御用パターンを検出するステップと、
前記濃度センサによる検出結果に基づいて色ずれ量を検出するステップと、
検出された色ずれ量が予め定められた当該色ずれに対する許容ずれ量を超える場合に、当該色ずれを補正するステップと
を含むことを特徴とする制御方法。
【請求項１０】
前記色ずれ量検出ステップでは、前記濃度センサの検出結果である出力波形を、予め設定されたしきい値を基準としてデジタルパルスを生成し、前記濃度制御用パターンを形成する各色のパッチから得られた当該デジタルパルスの立ち上がりまたは立ち下がりのエッジの時間間隔に基づいて色ずれ量を算出することを特徴とする請求項９に記載の制御方法。
【請求項１１】
前記濃度制御用パターン形成ステップでは、主走査方向の位置に応じて副走査方向の長さが異なる形状のパッチで構成された濃度制御用パターンを前記転写対象に形成し、
前記色ずれ量検出ステップでは、同一濃度における各色のパッチに関するパルスの立ち上がりの時間間隔と同パルスの立ち下がりの時間間隔との差分を用いて主走査方向の色ずれ量を算出することを特徴とする請求項１０に記載の制御方法。
【請求項１２】
前記色ずれ量検出ステップでは、前記濃度センサの検出結果である出力波形を取り込み、前記濃度制御用パターンを形成する各色のパッチから得られた当該出力波形のピークから把握できる時間に基づいて色ずれ量を算出することを特徴とする請求項９に記載の制御方法。
【請求項１３】
色ごとに形成された複数の画像を重ねて記録媒体に転写する画像形成装置の制御方法であって、
転写対象に当該転写対象の移動方向に沿って特定の間隔で並べて形成された各色のパッチによって構成され、各パッチの位置に基づいて色ずれを検出し補正するために用いられる色ずれ制御用パターンを形成するステップと、
色ずれセンサにより前記色ずれ制御用パターンを検出するステップと、
前記色ずれセンサによる検出結果に基づいて濃度ずれ量を検出するステップと、
検出された濃度ずれ量が予め定められた当該濃度ずれに対する許容ずれ量を超える場合に、当該濃度ずれを補正するステップと
を含むことを特徴とする制御方法。
【発明の詳細な説明】
【技術分野】
【０００１】
本発明は、プリンタや複写機等の画像形成装置に関し、特に、カラー画像における各色の画像形成位置を制御するためのレジストレーションコントロール（色ずれ制御）および濃度制御を行うシステムに関する。
【背景技術】
【０００２】
今日、プリンタや複写機等の画像形成装置において、カラー画像を形成する装置が広く普及しつつある。この種の一般的な画像形成装置として、例えばブラック（Ｋ）、イエロー（Ｙ）、マゼンタ（Ｍ）、シアン（Ｃ）の色ごとに設けられた画像形成部が転写対象（中間転写体である転写ベルト等）に対向して並べて配置されたいわゆるタンデム型の画像形成装置がある。このタンデム型の画像形成装置では、各画像形成部で形成された色の異なる画像が、走行する転写対象に順次転写されて多重化され、カラー画像が形成される。
【０００３】
このタンデム型の画像形成装置では、色ごとに形成された画像を重ねてカラー画像を形成するため、画像形成部の各取り付け位置の誤差、各画像形成部の周速誤差、転写対象に対する露光位置の違い、転写対象の線速の変化等により、形成された画像において色ずれが発生する場合がある。すなわち、色ごとに設けられる画像形成部のアライメントや機械的誤差等がそのまま記録媒体（用紙等）上での色ずれとなる。したがって、この種の画像形成装置では、これらの色ずれ量を測定し、色ずれの発生を抑制するための色ずれ制御（レジストレーションコントロール）を行うことが不可欠となる。この色ずれ制御の一般的な方法として、イエロー、マゼンタ、シアン、ブラックの各色のマーク（パターン）を転写対象に描き、その位置をセンサで読み取り、その読み取り結果から色ずれを算出してフィードバックし、画像形成部を制御する方法がある。
【０００４】
また、画像形成装置では、転写対象に転写される画像の濃度を制御することも不可欠である。この濃度制御は、各色の最大濃度を一定に保つことと、多段階の階調特性（ハーフトーン）を画像信号に対してリニアに保つことを目的として行われる。この濃度制御の一般的な方法として、転写対象に対して階調を持った複数の濃度パターンを色ごとに描き、この濃度パターンをセンサで読み取り、その読み取り結果から画像信号に対する出力濃度のずれを算出してフィードバックし、画像形成部を制御する方法がある。
【０００５】
ここで、色ずれ制御と濃度制御のそれぞれの制御サイクルについて説明する。
色ずれと濃度ずれは、製造時の部品取り付けにおける誤差や各部品の特性などを原因とする初期的なずれ（装置移動後の物理変動も含む）と、画像形成装置の機内環境の変動や装置の使用状態によって生じる経時的なずれの二つに大きく分けられる。後者の経時的なずれに対する制御では、機内の環境変化（主に温度や湿度の変化）や画像出力状態（出力枚数、トナー消費量）などを制御サイクルの開始条件としている。例えば、機内温度が所定温度だけ変化したならばジョブ（画像形成動作が中断しないで実施される処理単位）の先頭で色ずれ制御サイクルを動作させ、所定枚数画像出力される度に濃度制御サイクルを動作させる、というように制御サイクルの開始条件を設定することができる。
【０００６】
画像形成装置において、この色ずれ制御および濃度制御を行う技術としては、従来から種々の提案がなされている。コスト削減や装置構成の簡易化の観点から、色ずれ制御用のパターンと濃度制御用のパターンとを単一のセンサで検出する技術も提案されている（例えば、特許文献１、２、３参照）。
【０００７】
【特許文献１】特許２５７３８５５号公報
【特許文献２】特開２００１−１３４０４３号公報
【特許文献３】特開２００１−１４２２７８号公報
【発明の開示】
【発明が解決しようとする課題】
【０００８】
上記のように、タンデム型の画像形成装置では、出力画像の品質を高めるために、色ずれ制御および濃度制御が実施される。これらの制御サイクルでは、通常の画像出力と同様の動作によって画形材（トナー等）を消費して制御用のパターンが形成され、センサによるパターンの検出が行われる。しかしながら、これらの制御サイクルは、画像形成装置の本来の目的である画像出力に直接関わる動作ではないため、できるだけ制御サイクルにおける画形材の消費量を低減し、また制御に要する時間を短縮することが好ましい。
【０００９】
上述したように、色ずれ制御と濃度制御における経時的ずれに対する制御サイクルの開始条件は、機内の環境変化や画像出力状態に基づいて設定される。この開始条件を設定する際は、個々の画像形成装置に固有の色ずれや濃度ずれの変動特性に基づき、装置ごとの各ずれにおける許容ずれ量が考慮される。そのため、装置によっては、色ずれ制御を行う頻度と濃度制御を行う頻度が極端に異なることもある。例えば、濃度制御５回に対して色ずれ制御１回という割合で実施されることも起こり得る。
【００１０】
また、経時的なずれの起き方は、同じ構成の画像形成装置であっても個体差（ばらつき）がある。そのため、制御サイクルの開始条件は、かかる個体差を考慮して、最悪な変動（ずれ）が生じた場合でも許容ずれ量を超えないように設定することが必要である。したがって、上記のような環境条件等の開始条件を満たす状態となっても、実際にはあまり色ずれや濃度ずれが発生していないということも多い。
【００１１】
このように、画像形成装置における機内環境の変化や装置状態は、個々の装置ごとに差異があり、色ずれ制御や濃度制御の開始条件を画一的に設定しても個々の装置には相応しくない場合がある。そしてこのような場合、画像形成装置の本来の目的ではない制御サイクルの動作で画形材が無駄に消費されることとなる。また、設定された開始条件を画像出力中に満たした場合、画像出力の動作を中断して無用な色ずれ制御や濃度制御を実施することとなるため、生産性の低下を招来してしまう。
【００１２】
本発明は、以上のような技術的課題を解決するためになされたものであって、その目的とするところは、色ずれ制御または濃度制御の一方を行う際に他の制御の対象であるずれ（濃度ずれまたは色ずれ）を検出し、かかる他方の制御を実施するか否かを動的に判断することにある。また他の目的は、色ずれ制御または濃度制御の少なくとも一方の開始条件を動的に判断することにより、個々の画像形成装置ごとに適切な条件で色ずれ制御や濃度制御の制御サイクルを実施し、制御サイクルにおける画形材の消費量を削減すると共に装置の生産性の向上に寄与することにある。さらに他の目的は、かかる個々の装置ごとの制御サイクルの開始条件を動的に設定するために、色ずれ制御または濃度制御の一方を実施する際に、他方の制御を簡易的に実施する方法およびシステムを提供することにある。
【課題を解決するための手段】
【００１３】
上記の目的を達成するため、本発明は、色ごとに形成された複数の画像を重ねて記録媒体に転写する画像形成装置として実現される。この画像形成装置は、転写対象に画像を形成する画像形成部と、この画像形成部にて転写対象に形成される色ずれ制御用パターンを検出するための色ずれセンサと、この画像形成部にて転写対象に形成される濃度制御用パターンを検出するための濃度センサと、これらのセンサによる検出結果に基づいて色ずれ制御や濃度制御を実施する制御部とを備える。そして、この制御部は、色ずれセンサによる検出結果を用いた色ずれ制御または濃度センサによる検出結果を用いた濃度制御の一方を行った場合に、かかる制御において用いられた検出結果に基づいて他方の制御対象であるずれ（濃度ずれまたは色ずれ）の有無を検出し、さらに検出された他方の制御対象であるずれが予め定められた許容ずれ量を超える場合に、このずれを補正する制御（濃度制御または色ずれ制御）を行うことを特徴とする。
【００１４】
ここで詳細には、制御部は、濃度制御を実行した際に、濃度センサの検出結果である出力波形を、予め設定されたしきい値を基準としてデジタルパルスを生成し、濃度制御用パターンを形成する各色のパッチから得られたデジタルパルスの立ち上がりまたは立ち下がりのエッジの時間間隔に基づいて色ずれ量を算出する。より好ましくは、制御部は、濃度制御用パターンを形成するパッチのうち同一濃度の各色のパッチから得られたデジタルパルスにおける立ち上がりの時間間隔と立ち下がりのエッジの時間間隔との平均を用いて色ずれ量を算出する。
また、制御部は、濃度制御を実行した際に、濃度センサの検出結果である出力波形（アナログ波形）のピークタイミングを取得し、濃度制御用パターンを形成する各色のパッチから得られた出力波形（アナログ波形）のピークから把握できる時間に基づいて色ずれ量を算出する。
【００１５】
さらに好ましくは、上記の画像形成装置において、画像形成部は、主走査方向の位置に応じて副走査方向の長さが異なる形状のパッチで構成された濃度制御用パターンを転写対象に形成する。そして、制御部は、同一濃度における各色のパッチに関するパルスの立ち上がりの時間間隔と同パルスの立ち下がりの時間間隔との差分を用いて主走査方向の色ずれ量を算出する。
【００１６】
また、上記の目的を達成する他の本発明は、画像形成装置の制御方法としても実現される。この制御方法は、各色について多段階の階調のパッチを並べて構成される濃度制御用パターンを転写対象に形成するステップと、濃度センサにより濃度制御用パターンを検出するステップと、濃度センサによる検出結果に基づいて色ずれ量を検出するステップと、検出された色ずれ量が予め定められた色ずれに対する許容ずれ量を超える場合に、色ずれを補正するステップとを含む。あるいは、転写対象に当該転写対象の移動方向に沿って特定の間隔で並べて形成された各色のパッチによって構成され、かつ各パッチの位置に基づいて色ずれを検出し補正するために用いられる色ずれ制御用パターンを形成するステップと、色ずれセンサにより色ずれ制御用パターンを検出するステップと、色ずれセンサによる検出結果に基づいて濃度ずれ量を検出するステップと、検出された濃度ずれ量が予め定められた濃度ずれに対する許容ずれ量を超える場合に、濃度ずれを補正するステップとを含む。
【発明の効果】
【００１７】
以上のように構成された本発明によれば、色ずれ制御または濃度制御の一方を行う際に他の制御の対象であるずれ（濃度ずれまたは色ずれ）を検出することができ、かかる他方の制御を実施するか否かを、個々の画像形成装置における実際の状態（どの程度の濃度ずれや色ずれが発生しているか）に応じて動的に判断することができる。これにより、個々の画像形成装置ごとに適切な条件で色ずれ制御や濃度制御の制御サイクルを実施し、制御サイクルにおける画形材の消費量を削減すると共に装置の生産性の向上に寄与することが可能となる。さらに本発明によれば、かかる個々の装置ごとの制御サイクルの開始条件を動的に設定するために、色ずれ制御または濃度制御の一方を実施する際に、他方の制御を簡易的に実施する方法およびシステムが実現される。
【発明を実施するための最良の形態】
【００１８】
以下、添付図面を参照して、本発明を実施するための最良の形態（以下、実施形態）について詳細に説明する。
図１は、本実施形態が適用される画像形成装置を示した図である。この画像形成装置は、電子写真方式を採用した、いわゆるタンデム型のデジタルカラー機である。図示のように、この画像形成装置は、画像を形成する画像形成部１１、画像形成部１１に対して静電潜像を形成する露光装置１３、画像形成部１１に接触して画像形成部１１により形成された画像を重ねて搬送する中間転写体としての転写ベルト２１を備えている。画像形成部１１は、イエロー（Ｙ）、マゼンタ（Ｍ）、シアン（Ｃ）、ブラック（Ｋ）の各色に対応させて設けてある。以下、これらを区別する必要がある場合には、画像形成部１１Ｙ、１１Ｍ、１１Ｃ、１１Ｋと表記するが、区別する必要がない場合には、単に画像形成部１１と表記する。また、転写ベルト２１の内側には、この転写ベルト２１を駆動する駆動ロール２２、画像形成部１１の感光体に対向して複数設けられ転写ベルト２１上に画像を形成するための一次転写ロール２３、転写ベルト２１上に形成されたカラー画像を転写用紙（記録シート）等の記録媒体に転写する二次転写ロール２４、転写ベルト２１に対する一次転写位置を特定するためのバックアップロール２５を備えている。図１において、記録媒体である転写用紙２６は、給紙カセット２７等から給紙され、上記のように二次転写ロール２４によりカラー画像を転写された後、定着器２８において転写された画像が定着されて、外部に排出されるようになっている。また、画像形成装置は、露光装置１３および画像形成部１１に対して色ずれ制御用パターンおよび濃度制御用パターンのパターン情報を供給する制御部３１、転写ベルト２１の所定領域に形成された色ずれ制御用パターンを読み取る色ずれセンサ３２、同じく転写ベルト２１の所定領域に形成された濃度ずれ検出用パターンを読み取る濃度センサ３３、機内温度や機内湿度等の環境情報を取得する環境センサ３４を備えている。
【００１９】
この画像形成部１１は、上記４色の画像形成部１１Ｙ、１１Ｍ、１１Ｃ、１１Ｋの各々に、異なる色のトナーによって像を形成するための現像装置と、この現像装置から供給されるトナーによって形成される画像を担持する感光体ドラム等からなる像担持体、感光体ドラムを帯電させる帯電装置、残留トナーを除去するクリーナ等の各種ユニットが備えられている。各色の感光体ドラムの回転軸には図示しないエンコーダが取り付けられており、各感光体ドラムが１回転する度に各エンコーダからインデックス信号が出力され、制御部３１にフィードバックされる。なお、画像形成部１１の構成としては、イエロー（Ｙ）、マゼンタ（Ｍ）、シアン（Ｃ）、ブラック（Ｋ）のいわゆる常用色の他、通常のカラー画像形成には用いられない特殊な画形材に対応させた特定色画像形成部を設けることも可能である。また、上述したＹ、Ｍ、Ｃ、Ｋの４色の他に、ダークイエローなどを含めた５色以上を常用色として用いることもできる。
【００２０】
露光装置１３は、例えばレーザＲＯＳ（Raster Output Scanner）やＬＥＤアレイ等で構成され、各々の画像形成部１１が有する感光体に対して静電潜像形成のための光を照射させている。この露光装置１３には、例えば画像読取装置（ＩＩＴ）や外部のパーソナルコンピュータ装置（ＰＣ）等から得られ、画像処理装置（図示せず）によって変換されたデジタル画像信号が、制御部３１を介して各色別に供給される。また、露光装置１３には、制御部３１によって生成された色ずれ制御用のパターン画像および濃度制御用のパターン画像が供給される。これらのパターン画像は、各色についての画像書き込み位置の制御信号として、各画像形成部１１に対応する露光装置１３に供給される。本実施形態において、パターン画像は、転写ベルト２１の移動方向に対して色ごとに所定の間隔を隔てて印字される。またパターン画像は、転写ベルト２１の１周分にわたって連続的に印字されたり、転写ベルト２１における記録媒体に転写される画像が形成されるイメージ領域の間のインターイメージ領域に印字されたりする。
【００２１】
色ずれセンサ３２は、転写ベルト２１上に形成された色ずれ制御用パターン（ラダー状トナーパッチ、シェブロンパッチ）をＰＤ（PhotoDiode）センサ等で構成される検出器上に結像し、パッチの重心線と検出器の中心線とが一致したときにパルスを出力する反射型センサである。この検出器は、９０度の角度に配置された２組のＢｉ−Ｃｅｌｌ（２分割ダイオード）で構成されている。色ずれセンサ３２は、各画像形成部１１で形成されたパッチによる色ずれ制御用パターンの相対色ずれを検出するために、図１における最下流側の画像形成部１１Ｋの下流側で、かつ主走査方向に沿って２個、配置されている。色ずれセンサ３２の発光部は、例えば赤外ＬＥＤ（波長８８０ｎｍ）が２個用いられ、安定したパルス出力を確保するために、２個のＬＥＤの発光光量を調整（例えば２段階）できるように構成されている。
【００２２】
濃度センサ３３は、転写ベルト２１上に形成された各色の濃度制御用パターン（多段階の階調からなる濃度パッチ）に照射された光の反射光をＰＤ（PhotoDiode）センサ等で構成される検出器で受光し、その反射光強度を検出する反射型センサである。濃度センサ３３は、各画像形成部１１で形成された濃度パッチにより各色の最大濃度およびハーフトーン階調特性を検出するために、図１における最下流側の画像形成部１１Ｋの下流側に配置されている。濃度センサ３３の発光部は、例えば赤外ＬＥＤ（波長８８０ｎｍ）が２個用いられ、安定したパルス出力を確保するために、２個のＬＥＤの発光光量を調整（例えば２段階）できるように構成されている。
【００２３】
転写ベルト２１としては、例えば、可撓性を有するポリイミド等の合成樹脂フィルムを帯状に形成し、この帯状に形成された合成樹脂フィルムの両端を溶着等の手段によって接続することによって、無端ベルト状に形成したものが用いられる。この転写ベルト２１は、駆動ロール２２とバックアップロール２５とによって、少なくとも一部を略直線的にしたループ状に張られる。そして、この転写ベルト２１の略直線的な部分に対して、略水平方向に一定間隔を隔てて、画像形成部１１および対向する一次転写ロール２３が配列されている。図１に示す例では、転写ベルト２１の移動方向に対して、転写作業を行う際の上流側から下流方向に順に、イエローの画像形成部１１Ｙ、マゼンタの画像形成部１１Ｍ、シアンの画像形成部１１Ｃ、黒の画像形成部１１Ｋが配列されている。
【００２４】
転写ベルト２１には、画像形成部１１によって形成された各色の画像が、ベルトの動きにしたがって順に重ね合わされることにより、カラートナー画像が形成される。そして、転写ベルト２１の移動と図示しない記録媒体（用紙等）の搬送とのタイミングが合わされて、転写ベルト２１上に形成されたカラートナー画像は、二次転写ロール２４の位置で記録媒体に転写される。この後、カラートナー画像が転写された記録媒体は、図示しない定着装置に搬送され、定着装置においてカラートナー画像が記録媒体に定着されて、画像形成装置の筐体外部に設けられた排出トレイに排出される。
【００２５】
環境センサ３４は、機内温度や機内湿度を計測するためのセンサ（温度センサ、湿度センサ等）である。後述するように、本実施形態の色ずれ制御の動作においてどのような情報を用いるかにより、適宜各種のセンサにより構成することができるが、温度や湿度といった通常の画像形成装置でも監視されている情報を用いる場合は、装置内に既に設置されているセンサを用いれば良い。
【００２６】
制御部３１は、画像読取装置等から得られた画像のデジタル画像信号や色ずれ制御のためのパターン画像および濃度制御のためのパターン画像の画像信号を生成して露光装置１３に供給し、転写ベルト２１への書き込みを行わせる。また制御部３１は、色ずれセンサ３２から色ずれ制御用パターンの検出結果を取得し、取得した情報に基づいて色ずれのずれ量を解析し、必要な補正を行う。同様に、制御部３１は、濃度センサ３３から各色の濃度パッチの反射光強度の検出結果を取得し、取得した情報に基づいて各色の最大濃度およびハーフトーン階調特性を解析し、必要な補正を行う。
【００２７】
図２は、制御部３１の機能を説明するためのブロック図である。
図２に示すように、制御部３１は、タンデム型のデジタルカラー機の画像形成動作および色ずれや濃度ずれの検出、補正動作などを制御するコントローラ４０、コントローラ４０からの命令に基づいて画像情報をデジタル画像信号に変換する画像処理部４１、コントローラ４０の制御下で画像処理部４１により生成されたデジタル画像信号を適切なタイミングで出力する画像出力部４２とを備える。制御部３１におけるこれらの機能は、例えばプログラム制御されたＣＰＵ（Central Processing Unit）等で実現される。画像出力部４２からは、Ｙ、Ｍ、Ｃ、Ｋの各色の画像を形成する画像形成部１１Ｙ、１１Ｍ、１１Ｃ、１１Ｋに対応する露光装置１３のＲＯＳ（Ｙ用ＲＯＳ、Ｍ用ＲＯＳ、Ｃ用ＲＯＳ、Ｋ用ＲＯＳ）に対して画像情報（色ずれ制御用パターンおよび濃度制御用パターンを含む）が出力される。
【００２８】
また制御部３１は、メモリとして不揮発性のＲＯＭ（Read Only Memory）４３と読み書き可能なＲＡＭ（Random Access Memory）４４とを備える。ＲＯＭ４３には、コントローラ４０が実行する画像形成動作や色ずれおよび濃度ずれの検出および補正動作などを制御するためのソフトウェアプログラム、色ずれ制御用パターンおよび濃度制御用パターンの画像情報等が格納されている。ＲＡＭ４４には、各種カウンタ値、ジョブの実行回数、前回の色ずれ検出処理の実行情報（時間情報等）、環境センサ３４により取得された環境情報（機内温度、機内湿度等）といった、画像形成装置の動作に伴って取得される各種の情報が格納される。なお、図２には、本実施形態における特徴的な機能構成が記載されている。実際には、図示の構成の他に、色ずれセンサ３２や濃度センサ３３の発光部（例えば赤外ＬＥＤ）を点灯するＬＥＤドライバ、色ずれセンサ３２や濃度センサ３３の受光部でデータをサンプリングするためのしきい値を制御するＰＷＭ（パルス幅変調）回路、色ずれセンサ３２や濃度センサ３３の受光部から出力される色ずれ制御用パターン検出時の所定のパルス間（立ち上がり）の時間間隔を基準クロックパルスに基づいて計測するカウンタ等が設けられる。
【００２９】
次に、制御部３１のコントローラ４０による色ずれ制御と濃度制御の動作について説明する。
図３は、転写ベルト２１と色ずれセンサ３２および濃度センサ３３の位置関係を示すと共に、色ずれ制御用パターンと濃度制御用パターンの形成例を示す図である。図示の例において、色ずれセンサ３２は、転写ベルト２１の幅方向（主走査方向）の両端付近に設置され、同じく転写ベルト２１の幅方向両端付近に、色ずれセンサ３２に対応して形成された色ずれ制御用パターンを検出する。また、濃度センサ３３は、転写ベルト２１の幅方向の中央付近に設置され、同じく転写ベルト２１の幅方向中央付近に、濃度センサ３３に対応して形成された濃度制御用パターンを検出する。
【００３０】
転写ベルト２１上に形成された色ずれ制御用パターンが色ずれセンサ３２によって検出されると、コントローラ４０は、例えば基準色をブラックとして、ブラックからの各色のずれ量を主走査／副走査方向の双方について検出する。具体的には、例えば色ずれセンサ３２が、パターン進行方向に対して、前述のように左右２組のＢｉ−Ｃｅｌｌ（２分割ダイオード）で構成される場合、主走査方向における色ずれ量は、左右のＢｉ−Ｃｅｌｌで検出される左右のパターンの通過タイミングの差により算出される。また、副走査方向の色ずれ量は、センサに対する色ずれ制御用パターンの通過タイミングにより検出される。コントローラ４０は、このようにして検出された各色の色ずれ量に基づき、画像出力部４２における画像書き込みタイミングや書き込み位置を制御し、ブラックに対する各色の色ずれ補正を行う（色ずれ制御手段としての機能）。
【００３１】
一方、転写ベルト２１に形成された濃度制御用パターンが濃度センサ３３によって検出されると、コントローラ４０は、濃度制御用パターンの検出値を、予め測定されたセンサ出力と画像濃度との関係に基づいて画像濃度に変換し、その結果に基づいて画像の階調特性を認識する。そしてコントローラ４０は、得られた画像の階調特性に基づいて、各色の最大濃度を一定に保つと共に、ハーフトーンの階調特性を画像信号に対してリニアに保つように、画像処理部４１による画像生成を制御する（濃度制御手段としての機能）。なお、ハーフトーンの階調制御は、電子写真特有の非線形的な入出力特性（γ特性）によって、入力画像信号に対して出力濃度がずれて不自然な画像が形成されてしまうことを防止するため、γ特性を打ち消して入出力特性をリニアに保つような画像処理を行うことが一般的である。
【００３２】
ところで、これらの色ずれ制御や濃度制御は、一般に、機内の環境変化や画像出力状態に基づいて予め設定された開始条件にしたがって実施される。しかしながら、色ずれや濃度ずれの発生は、装置ごとにばらつきがあるため、色ずれ制御や濃度制御の開始条件を画一的に設定すると、個々の装置には相応しくない場合がある。すなわち、開始条件を画一的に設定するためには、所定の条件の下で最悪なずれが生じた場合でも制御における許容ずれ量（例えば、色ずれで１００〜１５０μｍ程度）を超えないように設定することが必要である。そのため、個々の装置によっては、開始条件を満足しても、実際にはあまり色ずれや濃度ずれが発生していない場合がある。
【００３３】
そこで、本実施形態は、色ずれ制御と濃度制御の一方を実施する際に、その制御によって得られたずれの検出結果に基づいて他方の制御を簡易的に実施し、この簡易制御によって本来の制御が必要であると判断された場合に、他方の本来の制御を実施すると行った制御を行う。これにより、色ずれ制御と濃度制御の少なくともいずれか一方について、動的な開始条件を設定することができる。なお、詳しくは後述するが、濃度制御において得られた検出結果に基づいて色ずれ量を算出する場合は、本来の色ずれセンサ３２による検出結果を用いて色ずれ量を検出する場合に比べて検出精度が悪くなる。同様に、色ずれ制御において得られた検出結果に基づいて濃度ずれを検出する場合は、本来の濃度センサ３３による検出結果を用いて濃度ずれ量を検出する場合に比べて検出精度が悪くなる。このような事情を鑑みて、本実施形態では、色ずれ制御と濃度制御の一方を実施する際に、その制御によって得られたずれの検出結果に基づいて他方の制御を行う場合を簡易的な制御あるいは簡易制御などと称する。しかしながら、本来の色ずれ制御や濃度制御との違いは、ずれ量の検出精度の善し悪しのみであり、色ずれまたは濃度ずれを補正する制御動作そのものは、簡易制御と本来の制御とで異なるものではない。
【００３４】
色ずれ制御と濃度制御のどちらについて簡易制御を実施するかは、個々の装置において、どちらの制御の実施頻度が高いかに応じて定めることができる。すなわち、濃度制御の方が実施頻度が高い場合には、濃度制御を実施する際に色ずれ制御を簡易的に実施すれば良い。反対に、色ずれ制御の方が実施頻度が高い場合には、色ずれ制御を実施する際に濃度制御を簡易的に実施すれば良い。このような制御を行うことにより、色ずれ制御と濃度制御の少なくとも一方については、実際に制御が必要か否かを動的に判断して実施することができる。したがって、画一的に設定された開始条件に基づく無用な制御サイクルの実施を防止することにより、トナーの消費量を削減し、かつ装置の生産性を向上させることができる。以下、具体的な実施例を挙げて、本実施形態による簡易制御の動作について説明する。
【００３５】
以下の例では、濃度制御の実施頻度が色ずれ制御の実施頻度に比べて高く、濃度制御を実施する際に、色ずれに対する簡易制御を実施するものとする。
まず、転写ベルト２１に、図３に示したように濃度制御用パターンが形成されたものとする。図３に示す濃度制御用パターンに付記された符号において、アルファベットＭはマゼンタ色を、Ｃはシアン色を意味する。また、添え数字の１は濃度８０％、２は同６０％、３は同４０％、４は同２０％を意味する。例えば、Ｍ２はマゼンタの濃度６０％、Ｃ３はシアンの濃度４０％である。実際には、濃度制御用パターン制御は各色について形成されるが、ここでは簡単のため、マゼンタとシアンの２色のみを例示して説明する。
【００３６】
図４は、図３に示した濃度制御用パターンを濃度センサ３３により検出（拡散反射光検出）した際の出力波形を示す図である。
濃度ずれを検出する場合に必要となるのは、この出力波形（アナログ波形）の振幅（ピーク値）である。濃度ずれを検出する目的は、上述したハーフトーンの階調制御に用いるCin-Dout LUT（出力濃度に対する入力データの校正ルックアップテーブル）を作成することにある。図示の例では、各濃度値（８０、６０、４０、２０％）での濃度データが取得され、Cin-Dout LUTの作成に用いられる。
【００３７】
一方、この濃度センサ３３による濃度制御用パターンの検出結果を用いて色ずれを検出するには、図４に示すように、濃度センサ３３の出力波形（アナログ波形）から予め設定されたしきい値を基準としてデジタルパルスを生成する。コントローラ４０は、このパルスのうち、同じ濃度の各色のパッチから得られたパルスの時間間隔を測定することによって副走査方向における色ずれ量を算出する。具体的には、例えば図示のように、マゼンタとシアンにおける濃度８０％のパッチの検出結果から得られるパルスの立ち上がりの時間間隔をMC_80_a、立ち下がりの時間間隔をMC_80_bとする。同様に、濃度６０％の場合におけるパルスの立ち上がりの時間間隔をMC_60_a、立ち下がりの時間間隔をMC_60_bとし、濃度４０％の場合におけるパルスの立ち上がりの時間間隔をMC_40_a、立ち下がりの時間間隔をMC_40_bとし、濃度２０％の場合におけるパルスの立ち上がりの時間間隔をMC_20_a、立ち下がりの時間間隔をMC_20_bとする。そして、色ずれがなく濃度が正常な場合のパッチの検出結果から得られるパルスの立ち上がりまたは立ち下がりの時間間隔をMC_80とする。すると、副走査方向の色ずれ量Perrは、最も簡単には、次式によって計算できる。
Perr = MC_80−MC_80_a                                          （式１）
【００３８】
しかし、濃度ずれがある場合には、濃度センサ３３による濃度制御用パターンの出力波形は、振幅が小さい等の変形を含むこととなる。そのため、固定的なしきい値を基準として得られる上記のデジタルパルスのパルス間隔も影響を受けてしまい、式１で計算される色ずれ量にも誤差が含まれることとなる。この誤差は、実際には２０〜３０μｍ程度であって、簡易的な色ずれ制御のためには大きな問題とならない程度であるが、色ずれの検出精度をより高めるためには、次式により、同一濃度における各色のパッチに関するパルスの立ち上がりと立ち下がりにおける時間差の平均を用いて色ずれ量Perrを計算することができる。
Perr = MC_80−(MC_80_a＋MC_80_b)÷2                            （式２）
【００３９】
さらに、各濃度における各色のパッチの出力波形から得られたパルスのうち、各濃度に関して同一濃度における各色のパッチに関するパルスの立ち上がりと立ち下がりにおける時間差の平均を求め、得られた各濃度の平均値をさらに平均化する次式によって色ずれ量Perrを計算することで、より一層検出精度を向上させることができる。
Perr = ((MC_80−(MC_80_a＋MC_80_b)÷2)＋
(MC_60−(MC_60_a＋MC_80_b)÷2)＋
(MC_40−(MC_40_a＋MC_40_b)÷2)＋
(MC_20−(MC_20_a＋MC_20_b)÷2))÷4                    （式３）
【００４０】
以上の説明では、濃度センサ３３の出力波形（アナログ波形）から得られたデジタルパルスの立ち上がりと立ち下がりから色ずれ量を算出することとしたが、この他、濃度センサ３３の出力波形のピークタイミングから色ずれ量を算出することもできる。
図５は、濃度センサ３３の出力波形のピークタイミングを用いて色ずれ量を検出する方法を説明する図である。なお図５は、図４におけるパターンＭ１、Ｃ１を抜粋したものである。
図５において、パターンＭ１とパターンＣ１の出力波形におけるピーク値の間隔をMC_80_aとし、上記の式１によって、色ずれ量Perrを求めることができる。また、サンプル基準タイミングを任意に設定し、このサンプル基準タイミングからパターンＭ１のピークまでの時間をM_80とし、サンプル基準タイミングからパターンＣ１のピークまでの時間をC_80とする。そして、M_80およびC_80の検出値の差分をもとめ、得られた値をパターンＭ１、Ｃ１における出力波形のピークの間隔（MC_80）としても良い。ここで、出力波形のピークとは、パターンの重心位置を意味し、上述したデジタルパルスの立ち上がりと立ち下がりの間隔の中間値と同じ意味である。ピーク位置の検出方法としては、濃度センサ３３内あるいは外部の電気回路により出力波形のピークタイミングでデジタルパルスを出力する方法や、出力波形をＡＤ（Analog Digital）変換し、デジタルデータのピーク値出力タイミングを測定する方法を用いることができる。
【００４１】
さて、上記の方法により、副走査方向の色ずれに関しては検出が可能であるが、図４に示した矩形のパッチを用いた濃度制御用パターンでは、主走査方向の色ずれを検出することはできない。これは、パッチが矩形であると、主走査方向の色ずれが生じていても、濃度センサ３３によって検出される出力波形には影響がなく、上述したデジタルパルスの立ち上がりや立ち下がりの時間間隔も変化しないためである。
【００４２】
濃度制御用パターンとして、主走査方向のどこで濃度センサ３３による検出がなされるかにより出力波形の周期が変化するような形状のパッチ、言い換えると、主走査方向の位置が異なると副走査方向の長さが異なる形状のパッチを用いることにより、主走査方向の色ずれも検出することが可能となる。
図６は、主走査方向の色ずれ検出が可能な濃度制御用パターンの例を示す図である。
図６に示す濃度制御用パターンは、パッチのエッジの一方が一定の角度で傾いた台形となっており、主走査方向のどの位置で濃度センサ３３による検出がなされても、その位置の副走査方向の長さが異なり、上述したデジタルパルスの立ち上がりや立ち下がりの時間間隔が変わるようになっている。この濃度制御用パターンを用いると、同一濃度における各色のパッチに関するパルスの立ち上がり（パッチの一方のエッジに対応）の時間間隔と、同パルスの立ち下がり（パッチの他方のエッジに対応）の時間間隔とを求め、その差分を求めれば、主走査方向の色ずれ量が得られることとなる。例えば、副走査方向の色ずれ量Perrを次式４で計算する場合、主走査方向の色ずれ量Lerrは、次式５により計算することができる。
Perr = ((MC_80−MC_80_a)＋(MC_60−MC_60_a)＋
(MC_40−MC_40_a)＋(MC_20−MC_20_a))÷4                （式４）
Lerr = ((MC_80−MC_80_b)＋(MC_60−MC_60_b)＋
(MC_40−MC_40_b)＋(MC_20−MC_20_b))÷4−Perr          （式５）
【００４３】
なお、主走査方向の色ずれを検出可能とする濃度制御用パターンは、上記のように、パッチの形状が、主走査方向の位置が異なると副走査方向の長さが異なる形状であれば良く、具体的な形状は図６に示すものに限定されない。例えば、図６の例では、パッチの一方のエッジが一定の角度で傾いた形状としたが、両方のエッジが傾いた形状としても良い。また、傾いたエッジは直線である必要はなく、円弧やＳ字形としても良い。
【００４４】
さて、上記のようにして、濃度センサ３３による濃度制御用パターンの検出結果を用いて色ずれを検出する方法について説明した。この色ずれの検出結果に基づいて色ずれ制御を実施することができる。ただし、上記の式３、４を用いて色ずれ量の検出精度の向上を図ったとしても、上述したように色ずれ量の検出結果は、濃度ずれが生じている場合には２０〜３０μｍ程度の誤差を含むこととなる。そのため、色ずれセンサ３２により色ずれ制御用パターンを検出して得られる色ずれ量と比較すれば、検出精度が低いことは否めない。そこで、本実施形態による濃度制御用パターンを用いた簡易的な色ずれ制御と、色ずれ制御用パターンを用いた本来の色ずれ制御とを併用することが考えられる。
【００４５】
例えば、濃度制御サイクルの開始条件を画像出力枚数で規定し、本来の色ずれ制御サイクルの開始条件を機内温度の変化量で規定した場合を考える。具体的な例を挙げると、許容濃度ずれ量から導かれる濃度制御サイクルの開始条件を画像出力の枚数が１００枚に達した場合とし、許容色ずれ量から導かれる色ずれ制御サイクルの開始条件を前回の色ずれ制御サイクルの実施時から機内温度が３．０度変化した場合とする。１００枚連続して画像出力が行われた場合の機内温度の変化量を１．０度であるとすると、機内温度の変化率が一定であれば、３００枚の連続的な画像出力が行われた場合に機内温度が３．０度変化することとなり、本来の色ずれ制御サイクルの開始条件を満たすこととなるが、この間に濃度制御サイクルが３回実施されることとなる。
【００４６】
この場合、制御部３１は、３回の濃度制御サイクルを実施すると共に、この濃度制御サイクルを実施するたびに、濃度センサ３３の出力波形に基づいて色ずれの検出を行う。ここで検出される色ずれ量は、上述したように本来の色ずれ制御における検出に比べれば検出精度が悪いが、それでも大雑把な色ずれ量を把握することは可能である。そこで、この簡易制御用に許容色ずれ量を予め設定しておき、濃度制御時の色ずれ検出によって検出された色ずれ量が簡易制御用の許容色ずれ量を超えた場合に、色ずれセンサ３２および色ずれ制御用パターンを用いた本来の色ずれ制御を実施するといった制御を行うことができる。
【００４７】
図７は、本実施形態により、色ずれ制御に関して簡易制御と本来の制御とを併用する場合の制御の全体動作を説明するフローチャートである。
図７を参照すると、画像形成装置が起動（電源オン）されると、制御部３１は、まず環境センサ３４や図示しないインデックスセンサ等の各種センサ、画像出力枚数を計数するカウンタ等の情報を収集し、画像形成装置の動作状態（機内環境や出力枚数等）が濃度制御の開始条件を満たしているか否かを調べる（ステップ７０１）。そして、濃度制御の開始条件を満たしている場合は、濃度制御サイクルを実施する（ステップ７０２）。また、制御部３１は、濃度制御サイクルにおいて得られた出力波形に基づいて色ずれの検出を行い、検出された色ずれ量が簡易制御用の許容色ずれ量を超えているか否かを判断する（ステップ７０３）。超えていなければ、ステップ７０１に戻り、再びセンサやカウンタ等の情報を収集して濃度制御の開始条件を判断する。
【００４８】
一方、ステップ７０３で、色ずれ量が簡易制御用の許容色ずれ量を超えている場合、次に制御部３１は、検出された色ずれ量に基づいて色ずれ制御サイクルを実施する（ステップ７０５）。また、ステップ７０１で、画像形成装置の動作状態が濃度制御の開始条件を満たしていない場合、次に制御部３１は、画像形成装置の動作状態が色ずれ制御の開始条件を満たしているか否かを調べる（ステップ７０４）。そして、色ずれ制御の開始条件を満たしている場合は、検出された色ずれ量に基づいて色ずれ制御サイクルを実施する（ステップ７０５）。
【００４９】
ステップ７０４で画像形成装置の動作状態が色ずれ制御の開始条件を満たしていない場合、およびステップ７０５で色ずれ制御サイクルが実施された後、制御部３１は、画像形成装置に対する電源オフの要求の有無を確認する（ステップ７０６）。そして、電源オフの要求がなければ、ステップ７０１に戻って濃度制御の開始条件を繰り返す。一方、電源オフの要求があったならば、制御部３１は画像形成装置を停止（電源オフ）させる。
【００５０】
以上のようにして、濃度制御が実施された場合には、濃度ずれの検出結果である出力波形を用いて色ずれに対する簡易制御を実施し、濃度制御が実施されずに色ずれ制御の開始条件を満足した場合には、本来の色ずれ制御を実施することにより、色ずれに対する簡易制御と本来の制御とを併用することができる。本来の色ずれ制御において用いられる許容色ずれ量に基づいて設定された色ずれ制御の開始条件は、上述したように、装置ごとのばらつきなどを考慮した最悪状態を想定した値である。すなわち、例えば機内温度の変化に対して色ずれが最も敏感に発生する装置で、許容ずれ量いっぱいに色ずれが発生するのに要する機内温度変化量が３．０度である、という意味である。したがって、実際には、機内温度が３．０度変化したとしても、ほとんどの装置において実際には許容ずれ量に達しない程度の小さい色ずれが発生するに留まることが多い。
【００５１】
上記の動作例では、色ずれ制御の開始条件である機内温度の変化量は３．０度としたが、この温度変化中に確実に濃度制御が実施され、色ずれに対する簡易制御が実施されることにより、本来の色ずれ制御サイクルの開始条件を緩和する（例えば４．０度とする）こともできる。また、濃度制御の開始条件に色ずれ制御の開始条件を包含できる場合（すなわち、色ずれ制御が実施される場合は必ず濃度制御が実施されるように開始条件が設定できる場合）は、色ずれ制御に対する開始条件を無くし、濃度ずれ制御サイクル時の色ずれ検出結果だけで、本来の色ずれ制御を実施するか否かを判断するようにしても良い。また、想定していなかった要因によって大きな色ずれが起こった場合に、色ずれ制御の開始を待たずに濃度制御において色ずれの発生を把握することができるため、異常動作時の対応にも有効である。
【００５２】
なお、上記の例では、濃度制御を実施した際に、濃度制御用パターンの検出結果を用いて色ずれを検出し、簡易的な色ずれ制御を実施する場合について説明した。これとは反対に、色ずれ制御を実施した際に、色ずれ制御用パターンの検出結果を用いて濃度ずれを検出し、簡易的な濃度制御を実施することも可能である。このような制御は、濃度制御の実施頻度よりも色ずれ制御の実施頻度の方が高い装置において有効である。
【００５３】
この場合、色ずれ制御において色ずれセンサ３２により検出される色ずれ制御用パターンの検出結果を用いて、転写ベルト２１に形成されたパッチの濃度を検出する。そして、最大濃度（濃度１００％）の濃度が一定値に保たれているか、各濃度（８０％、６０％、４０％、２０％）の階調特性がリニアに保たれているかを判断する。検出された濃度が予め設定された最大濃度や階調特性の設定値からずれている場合、その濃度ずれ量が予め定められた許容濃度ずれ量を超えているならば、濃度制御のサイクルを実施する。この場合の基本的な処理の流れは、図７に示した処理の流れと同様である。
【００５４】
図８にこの場合の制御の全体動作を説明するフローチャートを示す。図８において、画像形成装置が起動（電源オン）されると、制御部３１は、まず環境センサ３４や図示しないインデックスセンサ等の各種センサ、画像出力枚数を計数するカウンタ等の情報を収集し、画像形成装置の動作状態（機内環境や出力枚数等）が色ずれ制御の開始条件を満たしているか否かを調べる（ステップ８０１）。そして、色ずれ制御の開始条件を満たしている場合は、色ずれ制御サイクルを実施する（ステップ８０２）。また、制御部３１は、色ずれ制御サイクルにおいて得られた出力波形に基づいて濃度ずれの検出を行い、検出された濃度ずれ量が簡易制御用の許容濃度ずれ量を超えているか否かを判断する（ステップ８０３）。超えていなければ、ステップ８０１に戻り、再びセンサやカウンタ等の情報を収集して色ずれ制御の開始条件を判断する。
【００５５】
一方、ステップ８０３で、濃度ずれ量が簡易制御用の許容濃度ずれ量を超えている場合、次に制御部３１は、検出された濃度ずれ量に基づいて濃度制御サイクルを実施する（ステップ８０５）。また、ステップ８０１で、画像形成装置の動作状態が色ずれ制御の開始条件を満たしていない場合、次に制御部３１は、画像形成装置の動作状態が濃度制御の開始条件を満たしているか否かを調べる（ステップ８０４）。そして、濃度制御の開始条件を満たしている場合は、検出された濃度ずれ量に基づいて濃度ずれ制御サイクルを実施する（ステップ８０５）。
【００５６】
ステップ８０４で画像形成装置の動作状態が濃度制御の開始条件を満たしていない場合、およびステップ８０５で濃度制御サイクルが実施された後、制御部３１は、画像形成装置に対する電源オフの要求の有無を確認する（ステップ８０６）。そして、電源オフの要求がなければ、ステップ８０１に戻って色ずれ制御の開始条件を繰り返す。一方、電源オフの要求があったならば、制御部３１は画像形成装置を停止（電源オフ）させる。
【００５７】
色ずれ制御に伴って簡易的な濃度制御を実施する場合、色ずれ制御用パターンの形成が濃度１００％でしか行えない場合は、濃度１００％でのパッチの濃度値をチェックするようにすれば良い。仮に中間濃度でも色ずれ制御用パターンを形成することができるならば、パターンを中間濃度（８０％／６０％／４０％／２０％）で形成し、各々の濃度設定を勘案して、パッチの濃度値をチェックするようにすれば良い。
【００５８】
以上のように、本実施形態は、色ずれ制御と濃度制御の少なくともいずれか一方について、動的な開始条件を設定することができるため、画一的に設定された開始条件に基づいて無用な制御サイクルを実施することを防止することが可能である。これにより、画像形成装置の本来の目的である画像出力とは直接関係しない制御動作によるトナーの消費量を削減すると共に、無用な制御動作を行わないことによって装置の生産性を向上させることが可能となる。
【００５９】
なお、本実施形態では、色ずれ制御用パターンを検出するための色ずれセンサ３２と濃度制御用パターンを検出するための濃度センサ３３とを、画像形成装置に別個に設ける構成を例として説明したが、色ずれ制御用パターンの検出と濃度制御用パターンの検出とを単一のセンサで兼用する構成の画像形成装置に対しても本実施形態を適用可能である。
また、上記の実施形態では、画像形成部にて形成された画像を一旦、中間転写体である転写ベルトに形成した後に、記録媒体（用紙等）に転写するタイプの画像形成装置を例として説明したが、本実施形態による色ずれ制御は、本実施形態の転写ベルトと同様に設けられた搬送ベルトにより記録媒体を搬送し、当該記録媒体に画像形成部が直接画像を形成するタイプの画像形成装置や、ベルトの他に中間転写体や記録媒体搬送体としてロール状部材を用いるタイプの画像形成装置に対してもそのまま適用できることは言うまでもない。
【図面の簡単な説明】
【００６０】
【図１】本実施形態が適用される画像形成装置を示した図である。
【図２】本実施形態の制御部の機能を説明するためのブロック図である。
【図３】転写ベルトと色ずれセンサおよび濃度センサの位置関係を示すと共に、色ずれ制御用パターンと濃度制御用パターンの形成例を示す図である。
【図４】図３に示した濃度制御用パターンを濃度センサにより検出（拡散反射光検出）した際の出力波形を示す図である。
【図５】本実施形態における濃度センサの出力波形のピークタイミングを用いて色ずれ量を検出する方法を説明する図である。
【図６】本実施形態において主走査方向の色ずれ検出が可能な濃度制御用パターンの例を示す図である。
【図７】本実施形態により、色ずれ制御に関して簡易制御と本来の制御とを併用する場合の制御の全体動作を説明するフローチャートある。
【図８】色ずれ制御に伴って簡易的な濃度制御を実施する場合の本実施形態による制御の全体動作を説明するフローチャートである。
【符号の説明】
【００６１】
１１…画像形成部、１３…露光装置、２１…転写ベルト、２２…駆動ロール、２３…一次転写ロール、２４…二次転写ロール、２５…バックアップロール、２６…転写用紙、２７…給紙カセット、２８…定着器、３１…制御部、３２…色ずれセンサ、３３…濃度センサ、３４…環境センサ、４０…コントローラ、４１…画像処理部、４２…画像出力部、４３…ＲＯＭ、４４…ＲＡＭ
【図１】
2006030484.tif 000003
【図２】
2006030484.tif 000004
【図３】
2006030484.tif 000005
【図４】
2006030484.tif 000006
【図５】
2006030484.tif 000007
【図６】
2006030484.tif 000008
【図７】
2006030484.tif 000009
【図８】
2006030484.tif 000010